Podtech/llm-jp-corpus-v4-ja_patent huggingface dataset:
(57)【要約】【課題】  屋内における洗濯物干し場における目隠し用具として、窓面に格子状や板状のもの、またブラインドや簾などもあるが、素材に透明性がないため、光を遮ってしまうことにより洗濯物の乾きが不完全で生乾きとなり、部屋干しによる弊害や不便があった。【解決手段】  従来の目隠し用材を透明にして、その日当たり部分を凹面にするすることで外側からの目線から室内の焦点をぼかすことにより、プライバシーを保ち、さらに左右又は上下からの広い範囲からの光を最大限に集め、屈折光にして取り込むことにより部屋干しの弊害を取り除く。【選択図】図１
2020133381.tif 000002
【特許請求の範囲】
【請求項１】
透明且つ外側を凹面にした建物の窓面に使用する板状の目隠し用材。
【発明の詳細な説明】
【技術分野】
【０００１】  本発明は、屋内における洗濯物干場における目隠し用材に関するものである。
【背景技術】
【０００２】  従来の屋内における洗濯物干し場における目隠し用具として、窓面に日除けまたはプライバシーを保つために、格子状や板状のものがあった。またブラインドや簾などもあったが、その用材は木材または金属、プラスチック、布などの材料で遮光するものであった。
【発明の開示】
【発明が解決しようとする課題】
【０００３】  それには、次のような問題点があった。
（イ）素材に透明性がないため、光を遮ってしまうことにより洗濯物の乾きが不完全で生乾きとなり、カビなどの発生や、乾きに多くの時間を要するなど部屋干しによる弊害や不便があった。
【課題を解決するための手段】
【０００４】  従来の目隠し用材を透明性のものにすること、更にその日当たり部分を凹面にすることで最大限に光を集め取り込むようにする。
【発明の効果】
【０００５】  従来の目隠し用材を透明にして、その日当たり部分を凹面にするすることで外側からの目線から室内の焦点をぼかすことにより、プライバシーは保てる。さらに左右又は上下からの広い範囲からの光を最大限に集め、屈折光にして取り込むことにより部屋干しの弊害を取り除くことができる。
【発明を実施する最良の形態】
【０００６】  従来の目隠し用材を透明性のものにすること、更にその日当たり部分を凹面にすることで、外側からの目線から室内の焦点をぼかすことにより、プライバシーは保てる。さらに左右又は上下からの広い範囲からの光を最大限に集め、屈折光にして取り込むことにより、光を遮らずに洗濯物の乾きが完全で、生乾きやカビなどの発生を防ぎ、乾きをはやめることが出来る。よって従来の部屋干しの弊害を取り除くことができる。
【図面の簡単な説明】
【０００７】
【図１】  本発明の使用状態の側面図
【図２】  本発明の使用状態の正面図
【図３】  本発明の断面図
【図４】  本発明の斜視図
【符号の説明】
【０００８】      ａ  家屋
ｂ  窓
ｃ  洗濯物
ｄ  本発明
【図１】
2020133381.tif 000003
【図２】
2020133381.tif 000004
【図３】
2020133381.tif 000005
【図４】
2020133381.tif 000006
(57)【要約】【課題】連続的に雨水を供給し発電機を作動させ高低差の小さい狭い場所でも設置できる雨水発電装置を提供する【解決手段】受水タンク１の受水排水口１ｂに逆Ｕ字に立ち上かるサイホン管１ａを接続し設置された補助タンクの補水タンク入水口２ａに連通させ補助タンク２に貯水された水をらせん水車３の水車入水口から入水させらせん水車３を回転させ連結された発電機Ｇを作動させることにより効率的にかつ高低差の小さい場所でも発電できる【選択図】図１
2020133615.tif 000002
【特許請求の範囲】
【請求項１】
受水タンク（１）の受水排水口（１６）に逆Ｕ字状に立ち上がるサイホン管（１ａ）を接続し設置された補助タンク（２）の補助タンク入水口（２ａ）に連通させたことを特徴とする雨水発電装置
【請求項２】
外面上にらせん状のらせん突起（３ａＩ）及び回転水路溝（３ａＩＩ）を形成した回転（３ａ）が
2020133615.tif 000006
及び被装水路溝（３ｂＩＩ）を形成した被装体（３ｂ）に着脱可能に螺合され被装され、らせん水路（３ｃ）を形成し構成された、円柱又はテーパ形のらせん水車（３）が軸支された回転軸（３ｄ）を中心に回転することを特徴とする請求項１記載の雨水発電装置。
【請求項３】
取替え可能な被装体（３ｂ）の被装水路溝（３ｂＩＩ）にろ過材（３ｂα）を取付けたことを特徴とする請求項１〜２に記載の雨水発電装置。
【発明の詳細な説明】
【技術分野】
【０００１】  本発明は雨水発電装置に関する。
【背景技術】
【０００２】  雨水発電装置としては特許文献１又は特許文献２が知られている【０００３】  雨水発電の受水部に漏斗状の集水器又はサイホン管のみを使用し、水車には羽根型水車を使用している
【先行技術文献】
【特許文献】
【特許文献】
【０００４】
【特許文献１】特開２０１１−０５８４０６
【特許文献２】特開２０１１−０１７１９６
【発明の概要】
【発明が解決しようとする課題】
【０００５】
2020133615.tif 000003
雨水を確保することが困難であり水車に連続的に給水することが不可能である又、羽根型水車の場合高低差が必要であり水が飛散するため規模が大きくなりがちである【０００６】  本発明においては雨水を十分に確保し連続的に水車に水を供給し安定した電力供給を可能とする雨水発電装置を提供することにある。
【課題を解決するための手段】
【０００７】
2020133615.tif 000004
あらかじめ設置された補助タンク２の補助タンク入水口２ａに連通させ補助タンク排水口２ｂに水車入水口３ｂＩＩＩが接続され外面上にらせん状のらせん突起３ａＩ及び回転水路溝３ａＩＩを形成した円柱又はテーパ形の回転体３ａが内面上にらせん状のらせん溝３ｂＩ及びろ過材３ｂαを設置した被装水路溝３ｂＩＩを形成した被装体３ｂに着脱可能にらせん突起３ａＩとらせん溝３ｂＩにより螺合されらせん水路３ｃを形成することによりらせん水車３を構成する。
【発明の効果】
【０００８】  本発明において十分に雨水を確保し連続的に水を供給し小規模な発電装置で安定した電気を供給することができる
【図面の簡単な説明】
【０００９】
【図１】本発明の全体図である
【図２】回転体側面図である
【図３】被装体側面図である
【図４】らせん水車上面図である
【図５】図１におけるらせん水車のＡ−Ａ断面図である
【図６】回転体及び被装体の螺合図面である
【図７】受水タンク及び補助タンク側面図である
【発明を実施するための形態】
【００１０】  図１ないし図７は本発明に係る雨水発電の実施例を示す。図１において雨水発電装置は受水タンク１の逆Ｕ字に立ち上がるサイホン管１ａの頂上に雨水が達するとサイホン効果により雨水が
2020133615.tif 000005
より排出される。らせん水車の回転により回転軸３ｄに連結された発電機Ｇが作動する
【００１１】  被装体３ｂは着脱可能であるので雨水量により被装水路溝３ｂＩＩの径の異なる被装体３ｂと取替え可能であり、メンテナンスも容易である。
【００１２】  受水タンク１の天井をろ過材又は網で被復してもよい。
【符号の説明】１  受水タンク
１ａ  サイホン管
１ｂ  受水排水口
２  補助タンク
２ａ  補助タンク入水口
２ｂ  補助タンク排水口
３  らせん水車
３ａ  回転体
３ｂ  被装体
３ａＩ  らせん突起
３ａＩＩ  回転水路溝
３ｂＩ  らせん溝
３ｂＩＩ  被装水路溝
３ｂα  ろ過材
３ｃ  らせん水路
３ｄ  回転軸
３ｅ  水車排水口
４  排水受
５  支持フレーム
Ｇ  発電機
【図１】
2020133615.tif 000007
【図２】
2020133615.tif 000008
【図３】
2020133615.tif 000009
【図４】
2020133615.tif 000010
【図５】
2020133615.tif 000011
【図６】
2020133615.tif 000012
【図７】
2020133615.tif 000013
(57)【要約】【課題】スピーカーの取り付け穴同士の直径の違い、取り付け穴数の違いに対応して、車体又は既存のスピーカー取り付け具に装着可能にする自動車用異種類スピーカー対応取り付け具を提供する。【解決手段】スピーカーが嵌る円形の切り抜き９を設け、厚み方向に前記の円形の切り抜き９と同心円の上に分布しながら、スピーカーの種類により違いがでるスピーカー固定ねじ穴同士の直径、穴数に対応したスピーカー取り付け用雌ねじ穴のグループを設けた構成としている。更にスピーカーを取り付け用雌ねじ穴２a，２b、２c、２dとは別種の自身の固定用の本体取り付け穴１を設け、段落とし穴とし、ねじの頭を収める構成としている。【選択図】図１
2020123991.tif 000002
【特許請求の範囲】
【請求項１】
スピーカー自体が嵌る円形の切り抜きを設け、厚み方向に前記の円形の切り抜きと同心円の上に分布しながら、取り付け穴同士の直径、穴数が違う複数種類のスピーカー取り付け穴位置に対応して設けられているスピーカー固定用雌ねじ穴、さらに前記スピーカー固定用雌ねじ穴とは別種類の自身を固定するための本体取り付けねじ穴を設けている自動車用異種類スピーカー対応取り付け具。
【発明の詳細な説明】
【技術分野】
【０００１】
本考案はスピーカー取り付け具に関するものである
【背景技術】
【０００２】
スピーカーの公称サイズが同じでも、メーカーの違いによりスピーカー取り付け穴同士の直径、取り付け穴の数が違っている。
既存の取り付け具は一種類のスピーカーにのみ対応しているので、サイズの違うスピーカーの場合は既存の取り付け具が使用できず、それごとに作成していた。
先行技術文献のような物品の場合も上記と同じく一種類のスピーカーのみの対応となり、異種類多数のスピーカーには対応できない。
【先行技術文献】
【特許文献】
【０００３】
【特許文献１】特願平１１−１８８０６４号  公報
【発明の概要】
【発明が解決しようとする課題】
【０００４】
スピーカーの取り付け穴同士の直径の違い、取り付け穴数の違いにより既存の取り付け具が使用できず、その都度に作成することになる。このことは時間的負担がかかり、経済的負担も大きくなる。さらに正確な作業には技術、工具も必要になる。従って、異種類のスピーカーの取り付け穴同士の直径、取り付け穴数の違いを変換し、自動車車体又は既存の取り付け具に装着できるようにして前述の欠点を解決しようとするものである。
【課題を解決するための手段】
【０００５】
本考案は、スピーカー自体が嵌る円形の切り抜きを設け、厚み方向に前記の円形の切り抜きと同心円の上に分布しながら、取り付け穴同士の直径、穴数が違う複数種類のスピーカー取り付け穴位置に対応して設けられているスピーカー固定用雌ねじ穴、さらに前記スピーカー固定用雌ねじ穴とは別種類の自身を固定するための本体取り付けねじ穴を設けている自動車用異種類スピーカー対応取り付け具。
スピーカー固定用雌ねじ穴の数はかなり多数となり、雌ねじを切るため金属、樹脂、アクリル等の耐久性、剛性、耐候性、耐湿性、に優れた材料を用いる。また、あらかじめ雌ねじを切るため、取り付けにあたる工具は一般的なプラスねじ回しのみで済ますことができる。このことにより当該取り付け具ただ一つで取り付けにあたる課題を解決している。
【発明の効果】
【０００６】
上述の様に本考案の自動車用異種類スピーカー対応取り付け具は多種類のスピーカーの取り付けを容易にすることはもちろん取り付け作業、工具も簡素化することができる。
【図面の簡単な説明】
【０００７】
【図１】本考案の自動車用異種類スピーカー対応取り付け具の一実施例を示す正面図である。
【図２】図１のAA'線断面図であり、本考案の自動車用異種類スピーカー対応取り付け具の自動車車体または既存スピーカー取り付け具への本体取り付けねじ穴である。
【図３】図１のBB'線断面図であり、本考案の自動車用異種類スピーカー対応取り付け具のスピーカー取り付け用雌ねじ穴である。
【図４】自動車用異種類スピーカー対応取り付け具の使用例である。
【発明を実施するための形態】
【０００８】
自動車用異種類スピーカー対応取り付け具の自動車車体または既存スピーカー取り付け具への固定ねじ穴を用い、自動車車体または既存スピーカー取り付け具にボルトナットまたはビスを用い取り付けする。そしてスピーカーを本考案の自動車用異種類スピーカー対応取り付け具のスピーカー取り付け用雌ねじ穴の該当する穴にボルトにより固定する。
【実施例】
【０００９】
以下、添付図面に従って一実施例を説明する。自動車用異種類スピーカー対応取り付け具４は複数種類のスピーカー６のいずれも取付を可能とするスペーサーとして機能する。ここで自動車に取り付けるスピーカー６に設けられてある固定ねじ穴８について説明する。スピーカー６はコーン紙（振動板）の周りにブラケットが付いており、ここにスピーカー６と同心円状に固定ねじ穴８が設けてある。この固定ねじ穴８同士の直径はスピーカー製造メーカーが違うと異なる。さらに固定ねじ穴８の数もスピーカー製造メーカーが違うと異なる。固定ねじ穴８同士の直径と固定ねじ穴８の数に規格は存在しない。本考案の自動車用異種類スピーカー対応取り付け具４は金属、樹脂等の耐久性、剛性、耐候性、耐湿性に優れた材料を用いて一体化成型または切削成型する。本体取り付けねじ穴１は自動車用異種類スピーカー対応取り付け具４の本体を自動車車体３または既存スピーカー取り付け具への固定用として設け、ボルト５等で固定するがその際ボルト頭がスピーカー６の取り付け面よりも沈むよう、段落とし穴とする。２はスピーカー固定ねじ穴で、雌ねじを切ってあり、ボルト７により固定する。例えばスピーカーAはスピーカー固定ネジ穴８同士の直径がスピーカー取り付け用雌ねじ穴２aと同じで穴数が4個なのでスピーカー取り付け用雌ねじ穴２aを使いボルト７で固定する。スピーカーBはスピーカー固定ネジ穴８同士の直径がスピーカー取り付け用雌ねじ穴２bと同じで穴数が4個なのでスピーカー取り付け用雌ねじ穴２bを使いボルト７で固定する。スピーカーCはスピーカー固定ネジ穴８同士の直径がスピーカー取り付け用雌ねじ穴２cと同じで穴数が6個なのでスピーカー取り付け用雌ねじ穴２cを使いボルト７で固定する。このように取り付けるスピーカー６の種類による差によって、従来のスピーカー取り付け具のように交換又は作り直しをせずに取り付けできる。
【符号の説明】
【００１０】
１  本体取り付けねじ穴
２  スピーカー取り付け用雌ねじ穴
３  自動車ドア
４  自動車用異種類スピーカー対応取り付け具
５  ボルト
６  スピーカー
７  ボルト
８  スピーカー固定ねじ穴
９  スピーカー自体が嵌る円形の切り抜き
（４）
【図１】
2020123991.tif 000003
【図２】
2020123991.tif 000004
【図３】
2020123991.tif 000005
【図４】
2020123991.tif 000006
(57)【要約】      （修正有）【課題】通常の地熱発電（地熱発電、マグマ発電）について、他の機能を追加することにより、採算性を改善するマグマ発電のニュービジネスモデルを提供する。【解決手段】マグマ発電のニュービジネスモデルは、大規模な設備を設け、マグマ又はその周辺の高熱の地層に対して注水して蒸気を発生させる。それによりマグマの冷却を行いつつ発電を行う。【効果】マグマ発電によってえられるデータを利用して災害発生の予測をしたり減災する効果を実現することや、マグマよりの熱量除去又はマグマの冷却効果によりマグマ災害の発生抑制や減災の効果を上げて、これら効果に対する補助金により発電事業の採算性を改善する。【選択図】なし【特許請求の範囲】
【請求項１】
地下のマグマや周辺の高温な地層に対して強制的に注水し、蒸気を発生させる事業である。ビジネスモデルとして特許請求したいのは単なる地熱発電ではなくて、マグマ発電によってえられるデータを利用して災害発生の予測をしたり減災する効果を実現することや、マグマよりの熱量除去又はマグマの冷却効果によりマグマ災害の発生抑制や減災の効果を上げてその効果を認めてもらって妥当な補助金を受領して発電事業の採算性を維持するビジネスモデルである。
【発明の詳細な説明】
【技術分野】
【０００１】この発明は通常の地熱発電（地熱発電、マグマ発電）について、他の機能を追加することにより、新しいビジネスとして成立できるようにマグマ発電の採算性を改善したビジネスモデルである。
【背景技術】
【０００２】従来は、地熱発電（マグマ発電）は噴出する蒸気や簡単な方法での注水により蒸気を発生させて発電していた。
【先行技術文献】
【特許文献】
【０００３】
【特許文献１】
【発明の概要】
【発明が解決しようとする課題】
【０００４】従来の問題点  自然に噴出する蒸気や、簡単な注水によって、発生する蒸気による発電が普通なので、規模が小さく、発電量が少なくて採算性が不十分であった。
本発明は以上の欠点をなくすためになされたものである。
【課題を解決するための手段】
【０００５】本発明は着想を転換して、大規模な設備を設け、マグマ溜に近い地中まで注水のための配管をし、強制的に高圧水を注水し多量の蒸気を発生させて発電する。
設備もコストも莫大なものになるが、それをまかなって採算を取るためにマグマ発電に伴って得られる地下の温度分布などのデータを国や防災の責任機関に売却したり、マグマ冷却による減殺効果を明きらかにして、国などから了解の上で、事業の費用の一部を負担していただくビジネスモデルである。
【発明の効果】
【０００６】単に、一般的な商業的見地のみで、マグマ発電をしようとしても、大電力の発電は自然条件から見て困難なことが多い。しかし、火山災害（マグマ災害）予測活動や、災害の減災や発生の抑制（災害の発生時を遅らせること）できる可能があり、その効果を科学的に評価できるシステムを作れば国等から適切な費用負担などの協力を受けることが出来る可能性があるビジネスモデルである。
【図面の簡単な説明】
【０００７】
【図１】富士山に例を取り地下にマグマだまりがあることを図示する
【図２】山の周囲から富士山の地下部分のマグマ等の調査を行い、もっとも、有効かつ経済性にも配慮した坑道を掘り、その先端部から注水パイプと発生蒸気取り出しの配管を設置する。
【図３】従来の物品、機能、サービスと新しい考案を加えて変革したものの差を特許として登録されていた消しゴム付き鉛筆を例として図示したものである。
【発明を実施するための形態】
【０００８】このようにマグマ又はその周辺の高熱の地層に対して注水して蒸気を発生させる。
それによりマグマの冷却を行いつつ発電を行う。
（参考事項）
青函トンネルは３６ｋｍのトンネルであり、約４０００億円の工事費がかかったと聞く。もし富士山に本出願を適用できた場合は全く別の困難も見込まれようが、必要な坑道を掘り、その先端部分に注水と蒸気回収のパイプを設置することは優れた技術により、青函トンネル以下の費用で工事可能と思われる。かつ、優れた技術陣が取り組めば莫大な発電が可能であり、その結果として太陽光発電や風力発電のような特に日本に有利性のない自然力利用と違い我が国に豊富に存在する火山エネルギーを活用することにより原子力の利用を必要としない技術が開発される可能性が期待される。少なくともその可能性について国を挙げて検討が始められることを希望して本発明を出願しました。
【符号の説明】
【０００９】
【図１】
2020177614.tif 000002
【図２】
2020177614.tif 000003
【図３】
2020177614.tif 000004
(57)【要約】      （修正有）【課題】多チャンネルのスピーカー装置を提供する。【解決手段】スピーカー装置７は、コンピューター１０で、デジタル化された音のデータを読み込み、何の楽器で演奏しているかとか、人の声かなどを、コンピューターで回析し、得られた結果を検知し自動判別し、それらのデジタルデータをデジタルアンプ１に出力する。チェロの音が演奏されていれば、ビオラの音は高い音なので、高音の信号のみを、デジタル技術のイコライザー２を用いて検出・抽出し、高音以外の音を完全にカットして高音のスピーカー４のみを出力し鳴らす。バイオリンの音が演奏されていれば、バイオリンの音は中ぐらいの音なので、中音の信号のみを検出・抽出し、中音のスピーカー５のみを出力し鳴らす。コントラバスの音が演奏されていれば、コントラバスの音は低い音なので、低音の信号のみを検出・抽出し、低音のスピーカー６のみを出力し鳴らす。【選択図】図１
2020177218.tif 000002
【特許請求の範囲】
【請求項１】
コンピューター（１０）で、デジタル化された音のデータ、例えばＣＤロムなどを読み込み、そうして、何の楽器で演奏しているかとか、人の声などを、コンピューター（１０）で回析（かいせき）し、その楽器は、高音の音で信号を出すのか、中音の音で信号を出すのか、低音の音で信号を出すのか、得られた結果を検知し、自動判別するコンピューター（１０）。
【請求項２】
高音の信号（チャンネル）のみを、デジタル技術のイコライザー（２）を用いて抽出し、高音のスピーカー（４）のみを出力し鳴らすことを特徴とするスピーカー装置。
【請求項３】
中音の信号（チャンネル）のみを、デジタル技術のイコライザー（２）を用いて抽出し、請求項２記載の中音のスピーカー（５）のみを出力し鳴らすことを特徴とするスピーカー装置。
【請求項４】
低音の信号（チャンネル）のみを、デジタル技術のイコライザー（２）を用いて抽出し、請求項３記載の低音のスピーカー（６）のみを出力し鳴らすことを特徴とするスピーカー装置。
【請求項５】
デジタルアンプ（１）がデジタル技術のイコライザー（２）の機能を含んでいる場合、デジタルアンプ（１）で信号（チャンネル）を出力しスピーカーを鳴らすことを特徴とする請求項４記載のスピーカー装置。
【発明の詳細な説明】
【技術分野】
【０００１】  この発明は、多チャンネルのスピーカー装置に関するものである。
【背景技術】
【０００２】  従来、いろいろな楽器の音色や人の声を発すると、その音が混ざり合ってスピーカーから汚く聞こえていた。
【発明の概要】
【発明が解決しようとする課題】
【０００３】  これは、次のような欠点があった。
従来、いろいろな楽器の音色や人の声を発すると、その音が混ざり合ってスピーカーから汚く聞こえる。厳密に言えば、高音のスピーカーでも、僅かではあるが、中音・低音の音が漏れているし、中音のスピーカーでも、僅かではあるが、高音・低音の音が漏れているし、低音のスピーカーでも、僅かではあるが、高音・中音の音が漏れていた。
つまり、一つの系統の信号（チャンネル）を、複数のスピーカーで共用していた。
本発明は、以上のような欠点をなくすためになされたものである。
【課題を解決するための手段】
【０００４】  まず、コンピューター（１０）で、デジタル化された音のデータ、例えばＣＤロムなどを読み込む。そうして、何の楽器で演奏しているかとか、人の声などを、コンピューター（１０）で回析（かいせき）し、その楽器は、高音の音で信号を出すのか、中音の音で信号を出すのか、低音の音で信号を出すのか、得られた結果を検知し、自動判別する。そして、それらのデジタルデータをデジタルアンプ（１）に出力する。
次に、デジタルアンプ（１）では、もし、ビオラの音が演奏されていれば、ビオラの音は高い音なので、高音の信号（チャンネル）のみを、デジタル技術のイコライザー（２）を用いて抽出し、高音のスピーカー（４）のみを出力し鳴らす。ここがポイントで、高音の音を低減・減衰するのでは無く、完全に遮断・シャットアウトするのである。つまり高音以外の音を完全にカットするのである。
同様に、バイオリンの音が演奏されていれば、バイオリンの音は中ぐらいの音なので、中音の信号（チャンネル）のみを、デジタル技術のイコライザー（２）を用いて抽出し、中音のスピーカー（５）のみを出力し鳴らす。
同様に、コントラバスの音が演奏されていれば、コントラバスの音は低い音なので、低音の信号（チャンネル）のみを、デジタル技術のイコライザー（２）を用いて抽出し、低音のスピーカー（６）のみを出力し鳴らす。
本発明は、以上の構成よりなる、多チャンネルのスピーカー装置である。
【発明の効果】
【０００５】  高音のスピーカーと中音のスピーカーと低音のスピーカーが、音が混ざり合って汚く聞こえない為、クリアでノイズが少なく、まるで生演奏のオーケストラのコンサートで聴いている様な効果がある。
【図面の簡単な説明】
【０００６】
【図１】  本発明の全体の説明図である。
【図２】  従来のスピーカー装置である。
【図３】  スピーカーが複数個あるスピーカー装置である。
【発明を実施するための形態】
【０００７】  以下、本発明を実施するための形態について説明する。
まず、コンピューター（１０）で、デジタル化された音のデータ、例えばＣＤロムなどを読み込む。そうして、何の楽器で演奏しているかとか、人の声などを、コンピューター（１０）で回析（かいせき）し、その楽器は、高音の音で信号を出すのか、中音の音で信号を出すのか、低音の音で信号を出すのか、得られた結果を検知し、自動判別する。そして、それらのデジタルデータをデジタルアンプ（１）に出力する。
次に、デジタルアンプ（１）では、もし、ビオラの音が演奏されていれば、ビオラの音は高い音なので、高音の信号（チャンネル）のみを、デジタル技術のイコライザー（２）を用いて抽出し、高音のスピーカー（４）のみを出力し鳴らす。ここがポイントで、高音の音を低減・減衰するのでは無く、完全に遮断・シャットアウトするのである。つまり高音以外の音を完全にカットするのである。
同様に、バイオリンの音が演奏されていれば、バイオリンの音は中ぐらいの音なので、中音の信号（チャンネル）のみを、デジタル技術のイコライザー（２）を用いて抽出し、中音のスピーカー（５）のみを出力し鳴らす。
同様に、コントラバスの音が演奏されていれば、コントラバスの音は低い音なので、低音の信号（チャンネル）のみを、デジタル技術のイコライザー（２）を用いて抽出し、低音のスピーカー（６）のみを出力し鳴らす。
本発明は、以上のような構造である。
例では、３個のスピーカーを挙げているが、これが複数の系統の信号（チャンネル）がある場合、複数個のスピーカーが必要になってくるし、それぞれの担当とする周波数帯域も違ってくる。
【符号の説明】
【００８】  １  デジタルアンプ
２  イコライザー
３  コード
４  高音のスピーカー
５  中音のスピーカー
６  低音のスピーカー
７  スピーカー装置
８  複数のスピーカー
９  アナログアンプ
１０  コンピューター
【図１】
2020177218.tif 000003
【図２】
2020177218.tif 000004
【図３】
2020177218.tif 000005
(57)【要約】【課題】  高音質で音楽を楽しむために４系統マルチステレオエフェクターを提供する【解決手段】  ３コのマルチステレオエフェクターをつなげることを特徴とする【選択図】図１
2020177255.tif 000002
【特許請求の範囲】
【請求項１】
４系統音声を備えたマルチステレオエフェクター
【発明の詳細な説明】
【技術分野】
【０００１】この発明は、４系統マルチステレオエフェクターに関するものである
【背景技術】
【０００２】従来、マルチステレオエフェクターは２系統だった
【先行技術文献】
【０００３】
【特許文献１】
【非特許文献１】
【発明の概要】
【発明が解決しようとする課題】
【０００４】これは次のような欠点があった
（イ）２系統マルチステレオエフェクターでは表現するには限りがあった
本発明は、以上のような欠点をなくすためになされたものである
【課題を解決するための手段】
【０００５】マルチステレオエフェクターを４系統にしなければならない
本発明は、以上の構成よりなる４系統マルチステレオエフェクターである
【発明の効果】
【０００６】（イ）高音質で音楽を楽しめる
【図面の簡単な説明】
【０００７】
【図１】  本発明の見取り図である
【発明を実施するための形態】
【０００８】以下、本発明を実施するための最良の形態について説明する
（１）４系統マルチステレオエフェクターの中に３つの（２）マルチステレオエフェクターをつなげる
本発明は、以上のような構造である
【符号の説明】
【０００９】１  ４系統マルチステレオエフェクター
２  マルチステレオエフェクター
【図１】
2020177255.tif 000003
(57)【要約】【課題】  エレクトリック・ギターとエレクトリック・ベースの両方の演奏を同時に行うには、複数の演奏者がいなければできず、ツインネックギターはそもそもの目的が持ち換えを省く為であり、同時に演奏することを想定しておらず、一人の演奏者ではギターとベースの両方を同時に演奏することは不可能だった。  本発明は、一人の演奏者によるギターとベースの同時演奏を可能にし、音に厚みのある演奏ができる楽器を提供する。【解決手段】  エレクトリック・ベースのボディの弦より下側を無くし、エレクトリック・ギターのボディの弦より上側を無くし、下側ボディが無くなったベースの空いた下側に、上側ボディが無くなったギターを結合し、下側に結合するギターはヘッド方向にせり出した形で設けたことを特徴とするギター・ベース同時演奏楽器。【選択図】図３
2020177203.tif 000002
【特許請求の範囲】
【請求項１】
エレクトリック・ベースのボディの弦より下側を無くし、エレクトリック・ギターのボディの弦より上側を無くし、下側ボディが無くなったベースの空いた下側に、上側ボディが無くなったギターを結合する。下側に結合するギターはヘッド方向にせり出した形で設ける。
【発明の詳細な説明】
【技術分野】
【０００１】  本発明は、エレクトリック・ギターとエレクトリック・ベースを一人の演奏者が同時に演奏できるようにした構造を持つ楽器に関するものである。
【背景技術】
【０００２】  従来、エレクトリック・ギター及びエレクトリック・ベースの演奏は、演奏者がそれぞれに一本ずつの楽器を持って別々に演奏し、一人の演奏者が同時にギター・ベース両方の楽器を鳴らすことはできなかった。
なお、単に楽器を持ち換える手間を省くために、一つのボディに複数のネックを配置した、ツインネックギターもしくはダブルネックギターなどと呼ばれるギターやベースが知られている。
【先行技術文献】
【特許文献】
【０００３】
【特許文献１】実開昭５３−１４４３２３号公報
【特許文献２】特表２０１７−５２８７６８号公報
【発明の概要】
【発明が解決しようとする課題】
【０００４】  エレクトリック・ギターとエレクトリック・ベースの両方の演奏を同時に行うには、複数の演奏者がいなければできず、ツインネックギターはそもそもの目的が持ち換えを省く為であり、同時に演奏することを想定しておらず、一人の演奏者ではギターとベースの両方を同時に演奏することは不可能だった。
本発明は以上の問題点を解決するためになされたものである。
【課題を解決するための手段】
【０００５】  エレクトリック・ベースのボディの弦より下側を無くし、エレクトリック・ギターのボディの弦より上側を無くし、下側ボディが無くなったベースの空いた下側に、上側ボディが無くなったギターを結合する。下側に結合するギターはヘッド方向にせり出した形で設ける。
以上の構成による演奏用のギター・ベース同時演奏楽器。
【発明の効果】
【０００６】  従来、不可能であった一人の演奏者によるギターとベースの同時演奏を本発明により可能にし、人が足りなくても音に厚みのある演奏ができる。
本発明はギター側がヘッドに方向にせり出している為、常にギターの指板がベースの指板より演奏者から見て遠くにある。このため、右手親指でベースの弦を押さえて鳴らし、同時に右手の親指以外の指でギターの弦をかき鳴らすことができる構造となっている。
【図面の簡単な説明】
【０００７】
【図１】  本発明の斜視図である。
【図２】  本発明を使用する時の右手の使い方を示した斜視図である。
【図３】  本発明の使用状態（演奏時）を示した斜視図である。
【発明を実施するための形態】
【０００８】  以下、本発明の実施の形態を説明する。
（イ）ベースのボディの弦から下を無くしたもの（１）と、ギターのボディの弦より上を無くしたもの（２）を上下に貼り合わせた形で結合する。ギターはヘッド方向にせり出している状態であること。
本発明は以上のような構造である。
本発明を使用するときは、左手は基本的にギターの指板のフレットを押さえてギターのコードやギター各弦の音程を決定し、右手の親指はベースの指板のフレット上で弦を叩きつつ押さえるタッピング奏法にてベースを鳴らし、右手の人差し指から小指まで四本の指を使ってギターの弦をかき鳴らす。
【符号の説明】
【０００９】    １  エレクトリック・ベース
２  エレクトリック・ギター
【図１】
2020177203.tif 000003
【図２】
2020177203.tif 000004
【図３】
2020177203.tif 000005
(57)【要約】【課題】  淡い黄色に帯びた車やバイクや自転車のＬＥＤのライトを提供する。【解決手段】  赤のＬＥＤ（２）と緑のＬＥＤ（３）の明るさをそれぞれ１００ルクスとすると、青のＬＥＤ（４）の明るさを、５０ルクスから９０ルクスにした、淡い黄色に帯びた車やバイクや自転車のＬＥＤのライト（１）を設けたことを特徴とする。【選択図】図１
2020175876.tif 000002
【特許請求の範囲】
【請求項１】
赤のＬＥＤ（２）と緑のＬＥＤ（３）の明るさをそれぞれ１００ルクスとすると、青のＬＥＤ（４）の明るさを、５０ルクスから９０ルクスにした、淡い黄色に帯びた車やバイクや自転車のＬＥＤのライト（１）を設けたことを特徴とする。
【発明の詳細な説明】
【技術分野】
【０００１】  この発明は、淡い黄色に帯びた車やバイクや自転車のＬＥＤのライトに関するものである。
【背景技術】
【０００２】  従来、車やバイクや自転車のＬＥＤのライトは白色ばかりだった。
【発明の概要】
【発明が解決しようとする課題】
【０００３】  これは、次のような欠点があった。
（イ）  従来、車やバイクや自転車のＬＥＤのライトは白色ばかりで、昔の様に淡い黄色に帯びた、レトロでノスタルジックな電燈のライトが無くなった。
（ロ）  現在の車やバイクや自転車の白色のＬＥＤのライトは、目にはきついし眩しいし疲れる。
本発明は、以上のような欠点をなくすためになされたものである。
【課題を解決するための手段】
【０００４】  白色のＬＥＤのライト（１）の光は赤のＬＥＤ（２）・緑のＬＥＤ（３）・青のＬＥＤ（４）の３原色のＬＥＤの光で出来ているが、赤のＬＥＤ（２）と緑のＬＥＤ（３）の明るさをそれぞれ１００ルクスとすると、青のＬＥＤ（４）の明るさは、５０ルクスから９０ルクスにする。
本発明は、以上の構成よりなる、淡い黄色に帯びた車やバイクや自転車のＬＥＤのライトである。
【発明の効果】
【０００５】  （イ）  淡い黄色に帯びた車やバイクや自転車のＬＥＤのライトは、運転者にも対向車にも歩行者にも目に優しいし光が柔らかく見易く落ち着く。
（ロ）  誰が言ってたのかは忘れたが、科学者も太陽の黄色に帯びた光が一番、自然だと言っていた。従って交通事故の軽減に役立つ。
【図面の簡単な説明】
【０００６】
【図１】  本発明のライトの断面図である。
【発明を実施するための形態】
【０００７】  以下、本発明を実施するための形態について説明する。
白色のＬＥＤのライト（１）の光は赤のＬＥＤ（２）・緑のＬＥＤ（３）・青のＬＥＤ（４）の３原色のＬＥＤの光で出来ているが、赤のＬＥＤ（２）と緑のＬＥＤ（３）の明るさをそれぞれ１００ルクスとすると、青のＬＥＤ（４）の明るさは、５０ルクスから９０ルクスにする。
本発明は、以上のような構造である。
これを使用するときは、赤のＬＥＤ（２）と緑のＬＥＤ（３）の合成の光がオレンジになるので、青のＬＥＤ（４）の光を徐々に足していけば、徐々に淡い黄色のライト（１）になってくる。
【符号の説明】
【００８】    １  ライト
２  赤のＬＥＤ
３  緑のＬＥＤ
４  青のＬＥＤ
【図１】
2020175876.tif 000003
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
赤のＬＥＤ（２）と緑のＬＥＤ（３）の明るさをそれぞれ１００とすると、青のＬＥＤ（４）の明るさを、６０から７０にした、淡い黄色に帯びた車やバイクや自転車のＬＥＤのライト（１）を設けたことを特徴とする。
(57)【要約】【課題】廃棄されるペットボトルを再度利用するに関するものである【解決手段】ペットボトル（１）の一部に段差（３）接合ライン（５）Ａカットライン（６）凸部（１０）を内側に設ける  接合ライン（５）Ｂカットライン（９）下部に接合面（４）傾斜面（７）器（８）外面に凹部（１１）をリング状に設ける  Ａ．Ｂカットライン（６）（９）で切断してカットライン（６）部を接合面（４）に差し込み成る【選択図】図１
2020175949.tif 000002
【特許請求の範囲】
【請求項１】
１  ペットボトル（１）の表面（２）の一部にＡカットライン（６）段差（３）接合ライ    ン（５）凸部（１０）を設ける
２  接合ライン（５）の下部にＢカットライン（９）接合面（４）傾斜面（７）器（８）    凹部（１１）をリング状に設ける
以上の如く形成されたカットペットボトル
【請求項２】
ペットボトル（１）をＡ．Ｂカットライン（６）（９）で切断して一方の内面に他方    の外面を接合面（４）にはめ傾斜面（７）で密閉して凸部（１０）リング状の凹部で    ロックして成る請求項１のカットペットボトル
【発明の詳細な説明】
【技術分野】
【０００１】この発明はペットボトルを切断して再度使用するものに関するものである
【背景技術】
【０００２】従来ペットボトルは色々な液体を入れて使用後大半は廃棄されている
【発明の概要】
【発明が解決しようとする課題】
【０００５】本発明は廃棄されるペットボトルを再度簡単に蓋付容器に変えようとするものである
【課題を解決するための手段】
【０００６】いまその形状を説明すると
１  ペットボトル（１）表面（２）の形状の一部に段差（３）接合ライン（５）を形成し    Ａカットライン（６）を設け対向線上（内側）に凸部（１０）を設ける
２  接合ライン（５）Ｂカットライン（９）下部に接合面（４）傾斜面（７）器（８）外    面に凹部（１１）をリング状に設ける
以上の様な構成から成る
【発明の効果】
【０００７】ペットボトル（１）をＡ．Ｂカットライン（６）（９）で切断して接合面（４）にＡカットライン（６）部をはめるだけで蓋付器（８）が出来蓋は凹部（１１）と凸部（１０）でロックされ多用途に使用できる  Ａ．Ｂカットライン（６）（９）目印を付けてカット箇所がわかりやすいロックラインをリング状にしてどの方向でも容易に蓋をロックできる
【図面の簡単な説明】
【０００８】
【図１】  本発明の斜視図
【図２】  本発明の実施形態を示す切断斜視図
【発明を実施するための形態】
【０００９】本発明の実施形態を図面に基づいて説明する
【００１０】１  ペットボトル（１）の表面の一部にペットボトル容器の厚さ分だけ段差（３）接合ラ  イン（５）を設ける
２  接合ライン（５）に接合面（４）を設け下部に８５〜８９度位の傾斜面（７）を設け    てペットボトル（１）の外径に戻し器（８）を形成する
３  Ａ．Ｂカットライン（６）（９）を設け切断目印にする
４  Ａカットライン（６）上部内側に対向に凸部（１０）接合面（４）の下部外面に凹部    （１１）をリング状設け蓋をロックする
イ  カットライン（６）（９）の形状を谷間型点線型溝型等にする方法
ロ  Ａ．Ｂカットライン（６）（９）を定規目印にして容器の大きさを決める方法
ハ  Ａ．Ｂカットライン（６）（９）の目印を表面ラベルに標示する方法
ニ  凸部（１０）を等間隔で上方に２〜３ケ所設ける方法
ホ  凸部（１０）をリング状に設ける方法
【実施例】
【００１１】４  Ａ．Ｂカットライン（６）（９）で切断する
５  切断された蓋Ａカットライン（６）部の内面にＢカットライン（９）部の外面をはめて蓋付器（８）を構成傾斜面（７）で密閉して凹部（１１）と凸部（１０）で蓋をロックする
以上の様な形状から成り切断して別の容器を成すのを特徴とする
【産業上の利用可能性】
【００１２】園芸用品インテリアケース保護ケース等多種多様な用途の可能性がある
【符号の説明】
【００１３】    １  ペットボトル    ２  表面    ３  段差    ４  接合面    ５  接合ライン    ６  Ａカットライン    ７  傾斜面    ８  器    ９  Ｂカットライン
１０  凸部    １１  凹部
【図１】
2020175949.tif 000003
【図２】
2020175949.tif 000004
(57)【要約】      （修正有）【課題】レスポンスやダイレクト感を得る事が出来るラジコンのカー用スティック式プロポを提供する。【解決手段】スロットル側のスティック１にＸ軸５とＹ軸６とを設け、ラダー側のスティック２にもＸ軸５とＹ軸６とを設ける。この両側のスティックに、緩やかに渦巻き状の円弧を描くガイド３を設けたことを特徴とする。【選択図】図１
2020175122.tif 000002
【特許請求の範囲】
【請求項１】
スロットル側のスティック（１）にＸ軸（５）とＹ軸（６）とを設け、緩やかに渦巻き状の円弧を描くガイド（３）を設けたことを特徴とするラジコンのカー用スティック式プロポ。
【請求項２】
ラダー側のスティック（２）にＸ軸（５）とＹ軸（６）とを設け、緩やかに渦巻き状の円弧を描くガイド（３）を設けたことを特徴とする請求項１記載のラジコンのカー用スティック式プロポ。
【発明の詳細な説明】
【技術分野】
【０００１】  この発明は、緩やかに渦巻き状の円弧を描くガイドを設けたラジコンのカー用スティック式プロポに関するものである。
【背景技術】
【０００２】  従来、ラジコンのカー用２チャンネルのスティック式プロポは、スロットル側もラダー側も１軸のみであり、今一つ、レスポンスやダイレクト感が無かった。
【発明の概要】
【発明が解決しようとする課題】
【０００３】  これは、次のような欠点があった。
従来、ラジコンのカー用２チャンネルのスティック式プロポは、スロットル側もラダー側も１軸のみであり、つまり、スロットル側のスティックはＹ軸のみ、ラダー側のスティックはＸ軸のみであったが、今一つ、レスポンスやダイレクト感が無かった。
本発明は、以上のような欠点をなくすためになされたものである。
【課題を解決するための手段】
【０００４】  スロットル側のスティック（１）にＸ軸（５）とＹ軸（６）とを設け、ラダー側のスティック（２）にもＸ軸（５）とＹ軸（６）とを設ける。即ち、ラジコンの飛行機やラジコンのヘリコプターと同様に、４チャンネルのスティック操作を設けるのである。この両側のスティックに、緩やかに渦巻き状の円弧を描くガイド（３）を設ける。これにより、親指（４）の可動範囲が、スティック操作にピタリと収まり、エルゴノミクス（人間工学）に適う。このガイド（３）に沿って、スティックを動かすのである。
本発明は、以上の構成よりなる、緩やかに渦巻き状の円弧を描くガイドを設けたラジコンのカー用スティック式プロポである。
【発明の効果】
【０００５】  エルゴノミクス（人間工学）に適い、従って、レスポンスやダイレクト感を得る事が出来る。
【図面の簡単な説明】
【０００６】
【図１】  本発明の全体の説明図である。
【図２】  本発明のガイドを設けたスティック式プロポの正面図である。
【図３】  従来の２チャンネルのスティック式プロポの正面図である。
【図４】  従来の４チャンネルのスティック式プロポに、ガイドを着脱させる説明図である。
【発明を実施するための形態】
【０００７】  以下、本発明を実施するための形態について説明する。
スロットル側のスティック（１）にＸ軸（５）とＹ軸（６）とを設け、ラダー側のスティック（２）にもＸ軸（５）とＹ軸（６）とを設ける。即ち、ラジコンの飛行機やラジコンのヘリコプターと同様に、４チャンネルのスティック操作を設けるのである。この両側のスティックに、緩やかに渦巻き状の円弧を描くガイド（３）を設ける。これにより、親指（４）の可動範囲が、スティック操作にピタリと収まり、エルゴノミクス（人間工学）に適う。このガイド（３）に沿って、スティックを動かすのである。
本発明は、以上のような構造である。
これを使う時、違うレスポンスやダイレクト感を試したければ、色々とガイドを変え交換する事も出来るし、ガイドを外せば、普通の４チャンネルプロポとして、ラジコンの飛行機やラジコンのヘリコプターも操縦出来る。
【符号の説明】
【００８】    １  スロットル側のスティック
２  ラダー側のスティック
３  ガイド
４  親指
５  Ｘ軸
６  Ｙ軸
７  ２チャンネルのスティック式プロポ
８  ４チャンネルのスティック式プロポ
【図１】
2020175122.tif 000003
【図２】
2020175122.tif 000004
【図３】
2020175122.tif 000005
【図４】
2020175122.tif 000006
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
スロットル側のスティックのガイドが緩やかに渦巻き状の円弧を描くガイド（３）を設け、スロットル側のスティックのガイドが上方向に行くに連れ、右寄りになることを特徴とするラジコンのカー用スティック式プロポ。
【請求項２】
ラダー側のスティックのガイドが緩やかに渦巻き状の円弧を描くガイド（３）を設け、ラダー側のスティックのガイドが右方向に行くに連れ、下寄りになることを特徴とする請求項１記載のラジコンのカー用スティック式プロポ。
(57)【要約】【課題】蚊を誘導する成分と殺虫する成分持たせて、身近にあるぬいぐるみで刺されることから守ることを提供する。【解決手段】ぬいぐるみの生地には蚊の好む誘導成分を設け、中身の綿には殺虫成分を設けている事を特徴とする。【選択図】図１
2020175126.tif 000002
【特許請求の範囲】
【請求項１】
布地に蚊を誘導する成分と、ぬいぐるみの中身に殺虫成分を設けた、蚊から刺されることから身を守る効果のぬいぐるみ。
【請求項２】
布地に蚊を誘導する成分と、殺虫成分を合わせ持った布製品。
【発明の詳細な説明】
【技術分野】
【０００１】  本発明は、蚊から刺されることを防止する成分を持たせたぬいぐるみに関するものである。
【背景技術】
【０００２】  従来のぬいぐるみには愛玩用という役割しかなく、虫よけとは別々になっていた。
【発明の概要】
【発明が解決しようとする課題】
【０００３】  蚊から身を守るには虫除けスプレーしか今までなかった。
虫除けスプレーの対策を忘れると夏場では蚊に刺されることが多く、毎回忘れずに虫よけ対策を取るのは困難だった。
本発明は、対策を忘れていても刺されないようになされたものである。
【課題を解決するための手段】
【０００４】  本発明は、上記課題を解決するため、以下の手段を採用する。
ぬいぐるみの布地には蚊の好む香り成分を設け、ぬいぐるみの中身の綿には蚊を殺虫する成分を設ける。【０００５】  本発明は、ぬいぐるみ所持者から蚊を誘導し、所持者の身代りにぬいぐるみを蚊に刺させて、中身の殺虫成分で蚊を退治し所持者を守る。
蚊の誘導と殺虫の両方を備えていることを特徴とする。
【発明の効果】
【０００６】  ぬいぐるみには様々な大きさがあり、室内用やカバンに付けるキーホルダーのサイズがある。ぬいぐるみと刺され防止機能が一体になっているため、何処でも所持者と行動を共にすることができ、蚊から刺されることを防止する。
【図面の簡単な説明】
【０００７】
【図１】本発明の全体図である。
【図２】本発明の背面図である。
【発明を実施するための最良の形態】
【０００８】以下、本発明を実施するための形態について説明する。
ぬいぐるみの生地（１）に蚊が好む誘導性がある成分の布地を設ける。
ぬいぐるみの中身の綿（２）には蚊の天然由来の殺虫成分を設ける。
本発明は、以上のような構成である。
これを傍に置いておくと、近寄ってきた蚊をぬいぐるみに引き寄せて、中身の殺虫成分で撃退する。それにより近くの人たちが蚊に刺されるのを防ぐ。
【符号の説明】
【０００９】１  ぬいぐるみの生地
２  ぬいぐるみの綿
【図１】
2020175126.tif 000003
【図２】
2020175126.tif 000004
(57)【要約】【課題】販売されているバッグインバッグ、バッグインポケットはどれも似ていてサイズが同じような物が多く、厚みがあり、ボタンで留めて厚みを調整できるが、小さい鞄には不向きな物が多い。【解決手段】柔軟な薄い素材で、ポケットを複数備えた厚みをもたせないシート状にすることで、畳んだり丸めたりでき、色々な大きさのカバンやバッグ中にできた隙間を活用することができる。【選択図】図１
2020175116.tif 000002
【特許請求の範囲】
【請求項１】
カバンの中の小物を整頓する為のシート状ポケットであって、本体シート部（１）には、ポケット（３）を複数有し、カバンやバッグの隙間に合わせ折りたたんだり丸めたりできることを特長とするシート状のポケット。
【請求項２】
請求項１の本体シート状ポケット上部には、複数個所に紐を通したり金具を付けられる通し孔（２）を設けてあり、紐を通して手さげの様にしてそのまま持ち出せたり、また金具を付けカバンに固定できる請求項１に記載のシート状ポケット。
【発明の詳細な説明】
【技術分野】
【０００１】  この発明は、カバンの中身を整理する為のシート状の小物入れポケットに関するものである。
【背景技術】
【０００２】  カバンやバッグにはいくつかのポケットが付いているが位置はバッグの上の方に付いているのがほとんどであり、カバンやバッグの安定が悪く、ポケットの数は少ないので、小物がカバンやバッグの中で散乱し、すぐに取り出せない状態である。
【先行技術文献】
【特許文献】
【０００３】
【実用新案文献１】
実用新案登録第３２００７５０号
【発明の概要】
【発明が解決しようとする課題】
【０００４】  本発明は、カバンやバッグ内に収納ポケットを数多く設けるためのものである。実用新案文献１で示すバッグインバックなど、既存の販売されているバッグインバッグ、バッグインポケットはポケットの数は多いが、サイズは同じような物が多く、厚みがありかさばるため、ボタンで留めて調整できたりするが、小さいカバンやバッグには不向きな物が多い。
【課題を解決するための手段】
【０００５】  本発明は、カバン内の小物を整頓する為の薄くて長いシート状のポケットであって、固くない素材で、畳んだり丸めたりできる薄いシート状の本体シート部（１）に複数のポケットを設け、カバンやバッグの隙間に合わせ折りたたんだり丸めたりできるようにした。また、本体シート部（１）の上部には、複数個所に紐を通したり金具を取り付けられる通し孔（２）を設けてあり、紐を通してそのまま持ち出せるよう手提げの様にしたり、また金具を付けカバンに固定できる様にしたことで、色々な大きさのカバンやバッグの中にできた隙間に対応できるようにした。
【発明の効果】
【０００６】  自由にサイズを変えられることにより、厚みの無い隙間や狭い隙間にポットを設けることができ、小物が整頓され、すぐに取り出せるようになる。
【図面の簡単な説明】
【０００７】
【図１】  発明のバッグインポケットの正面図
【図２】  発明のバッグインポケットを折りたたんだ状態の斜視図
【図３】  従来のバッグインバッグの状態を示す斜視図
【発明を実施するための形態】
【０００８】  サイズはこの限りではないが、縦約２０ｃｍ、横約５０センチの固くない素材で平たい物で複数のポケットを有し、上部には複数の孔を開けて紐を通したり、カラビナなどを取り付けたりできる。
【実施例】
【０００９】  長さのあるポケットは、薄く硬いビジネスバッグの様な物には、折りたたんだりせず、平たく薄くて長い状態で隙間にポケットを設けることができ、丸めたり畳んだりしてポケットをコンパクトにすれば、小さいバッグや小さくできた隙間に対応できる。紐を通す場所が設けてあるので、バッグインポケットだけ持ち出す時は一時的にショルダーバッグや手提げの様にも使う事ができ、カラビナの様な物を使えば、ずれない様にカバンと固定する事ができる。
【産業上の利用可能性】
【００１０】  この発明は、老若男女問わず使う事ができる。
【符号の説明】
【００１１】  １  本体シート部
２  通し孔
３  ポケット
４  ポケット開口部
５  バックインバッグ
【図１】
2020175116.tif 000003
【図２】
2020175116.tif 000004
【図３】
2020175116.tif 000005